(57)【要約】【課題】カウンターの後部に給水装置を取付けるための立ち上がり部を必要としない。カウンターと給水装置の間の配管が露出しないように覆う配管カバーをねじを用いることなく取付けることができる。容易に且つ傷つけることなく取付け、取り外しが行える。【解決手段】配管カバー７の背部に少なくとも上方及び背方が開口した配管４が入る配管収納凹部８を設けると共に該配管カバー７の上下長さをカウンター２と給水装置３のカバーの下面部までの距離よりも長く形成する。配管カバー７を側面視で後端が垂直となり且つ前端上部に行くほど前方となるように傾斜するような形状に形成する。配管カバー７をカウンター２と給水装置３との間に壁１に沿って配置して配管収納凹部８に配管４の壁１に沿った一部分を収納する。配管カバー７の上端部を嵌め込み凹部６に上下移動自在に嵌め込むと共に配管カバー７の下端をカウンター２上に載置する。【選択図】図１
2010004999.tif 000002
【特許請求の範囲】
【請求項１】
壁から前方に突出したカウンターの上方位置に、壁から前方に突出する給水装置を配設し、この給水装置に湯水を供給するための配管をカウンターと給水装置との間で壁に沿って配置し、給水装置の下面部の上記壁側の端部に上下方向及び背方に開口した嵌め込み凹部を形成し、配管カバーの背部に少なくとも上方及び背方が開口した配管が入る配管収納凹部を設けると共に該配管カバーの上下長さをカウンターと給水装置のカバーの下面部までの距離よりも長く形成し、上記配管カバーを側面視で後端が垂直となり且つ前端上部に行くほど前方となるように傾斜するような形状に形成し、配管カバーをカウンターと給水装置との間に壁に沿って配置して配管収納凹部に配管の壁に沿った一部分を収納し、配管カバーの上端部を嵌め込み凹部に上下移動自在に嵌め込むと共に配管カバーの下端をカウンター上に載置して成ることを特徴とするカウンターと給水装置との間における配管カバーの取付け構造。
【請求項２】
前記配管カバーの後端部と上端部とのなすコーナ部分に面取り部を設けて成ることを特徴とする請求項１記載のカウンターと給水装置との間における配管カバーの取付け構造。
【請求項３】
前記配管カバーの前端上部に、嵌め込み凹部の前端縁に当接するための当り面部を設けて成ることを特徴とする請求項１又は請求項２記載のカウンターと給水装置との間における配管カバーの取付け構造。
【発明の詳細な説明】
【技術分野】
【０００１】
本発明は、カウンターと給水装置との間における配管カバーの取付け構造に関するものである。
【背景技術】
【０００２】
従来、壁から前方に突出したカウンターの上方位置に給水装置を配設する場合、カウンターより上方位置において壁に孔をあけ、この孔に壁の裏側に配置した湯供給配管、水供給配管の端部を臨ませ、孔の表面側に給水装置を突出させて取付けると共に、孔に臨んでいる湯供給配管、水供給配管の端部を給水装置に接続するようにしていた。
【０００３】
ところで、浴室ユニットなどにおいて、浴槽の給水装置、カウンターの上方に位置する給水装置にそれぞれ湯供給配管、水供給配管を接続するに当って、壁のカウンターの下方の部位、あるいは浴槽の近くの部位あるいは床に孔をあけて、この孔から湯供給配管、水供給配管を浴室ユニット内に導入し、該湯供給配管、水供給配管を浴槽側の給水装置に接続すると共に、カウンターの上に位置する給水装置に接続することで、壁にあける孔を１箇所で済ますようにしたものが知られている。
【０００４】
この場合、カウンターの下のデッドスペースを利用して湯供給配管、水供給配管を通すことで、浴室ユニット内に湯供給配管、水供給配管を配置しても邪魔にならず、且つ配管が見えないようにしている。
【０００５】
このように、カウンターの上方に給水装置を配設するに当って、従来にあっては、特許文献１に示すように、カウンターの後部に上方に向けて立ち上がり部を一体に突設し、この立ち上がり部に給水装置を取付け、カウンターの上面の上方に給水装置の吐出部（蛇口）が位置するようにし、カウンターの下方に通した湯供給配管、水供給配管を立ち上がり部の内部を通して給水装置に接続していた。
【０００６】
ところが、この従来例においては、カウンターの後部に上方に向けて立ち上がり部を一体に形成する必要があって、人造大理石などで形成するカウンターの製造コストが高くなり、また、一体に突設する立ち上がり部の存在がカウンターの形状、大きさの制約条件となり、様々なサイズの浴室ユニットに適用できず、また、給水装置を取付ける立ち上がり部を設けるためカウンターの実際に使用できる面積が小さくなり、特に実際に使用できず前後巾が狭くなり、使い勝手も悪いという問題があった。
【０００７】
そこで、本発明者は、カウンターの上方位置の壁に給水装置をカウンターとは別に取付けることを考えた。これによれば、カウンターとして後部に立ち上がり部を一体に突設しないものを使用することができ、上記したカウンターに一体に立ち上がり部を設ける従来の問題点を解決できる。この場合は、カウンターの後部の任意の位置に切欠部を形成し、この切欠部からカウンターの下方に通した湯供給配管、水供給配管を上方に導出して、上方に位置する給水装置に接続するのであるが、給水装置とカウンターとの間において、壁の表面に沿って湯供給配管、水供給配管が露出するので、これを隠すため、配管カバーで覆う必要がある。
【０００８】
この配管カバーの取付けに当たっては、浴室ユニットの壁にねじで固着するが、ねじが外部に露出するため外観が悪く、また、給水装置の点検、給水装置と湯供給配管、水供給配管との接続部分の保守、点検等の際に、配管カバーを取り外す作業が煩わしく、また、保守、点検後に配管カバーを取付ける際に、再び、ねじで壁に取付けねばならず、このように何度も壁にねじを着脱すると、ねじ取付け部分から水が外に漏れるようになるという問題がある。
【特許文献１】特開２００３−１８０５４５号公報
【発明の開示】
【発明が解決しようとする課題】
【０００９】
本発明は上記の従来の問題点に鑑みて発明したものであって、カウンターの後部に給水装置を取付けるための立ち上がり部を必要とせず、また、カウンターと給水装置の間の配管が露出しないように覆う配管カバーをねじを用いることなく取付けることができ、しかも、容易に且つ傷付けることなく取付け、取り外しが行えるカウンターと給水装置との間における配管カバーの取付け構造を提供することを課題とするものである。
【課題を解決するための手段】
【００１０】
上記課題を解決するために本発明に係るカウンターと給水装置との間における配管カバーの取付け構造は、壁１から前方に突出したカウンター２の上方位置に、壁１から前方に突出する給水装置３を配設し、この給水装置３に湯水を供給するための配管４をカウンター２と給水装置３との間で壁１に沿って配置し、給水装置３の下面部の上記壁１側の端部に上下方向及び背方に開口した嵌め込み凹部６を形成し、配管カバー７の背部に少なくとも上方及び背方が開口した配管４が入る配管収納凹部８を設けると共に該配管カバー７の上下長さをカウンター２と給水装置３のカバーの下面部までの距離よりも長く形成し、上記配管カバー７を側面視で後端が垂直となり且つ前端上部に行くほど前方となるように傾斜するような形状に形成し、配管カバー７をカウンター２と給水装置３との間に壁１に沿って配置して配管収納凹部８に配管４の壁１に沿った一部分を収納し、配管カバー７の上端部を嵌め込み凹部６に上下移動自在に嵌め込むと共に配管カバー７の下端をカウンター２上に載置して成ることを特徴とするものである。
【００１１】
このような構成とすることで、カウンター２の後部に従来のように給水装置３を取付けるための立ち上がり部を形成する必要がなくなった。また、給水装置３とカウンター２との間に位置する配管４を、配管カバー７で覆って配管４が露出しないようにできると共に、配管カバー７の取付けに当たっては、側面視で後端が垂直となり、且つ前端上部に行くほど前方となるように傾斜するような形状に形成した配管カバー７を、上に行くほど壁１側に近づくように斜めに傾斜した状態で、配管カバー７の上端部を給水装置３の下面部の嵌め込み凹部６に嵌め込み、次いで、上端部が嵌め込み凹部６に嵌めこまれた後傾姿勢の配管カバー７を垂直姿勢となるように回動し、配管カバー７の後端を壁１に当接すると共に下端部をカウンター２より少し浮かせ、この状態で、配管カバー７を下降させて、配管カバー７の側面視で上に行くほど前方となるように傾斜するような形状の前端上部を給水装置３の下面部の嵌め込み凹部６に略ぴったりとなるように嵌め合わせると共に、配管カバー７の下端部をカウンター２の上端後端部上に載置することで取付けることができ、また、取り外しに当たっては上記取付けとは逆の順序で取り外して、内部の保守、点検ができる。
【００１２】
また、前記配管カバー７の後端部と上端部とのなすコーナ部分に面取り部４６を設けることが好ましい。
【００１３】
このように配管カバー７の後端部と上端部とのなすコーナ部分に面取り部４６を設けることで、前述のようにして配管カバー７の上端部を給水装置３の下面部の嵌め込み凹部６に嵌め込んで取付ける際に、よりいっそうスムーズに後傾姿勢のまま上方に持ち上げて嵌め込むことができると共に、前述のようにして配管カバー７を取り外す際もよりいっそうスムーズに取り外すことができる。
【００１４】
また、配管カバー７の前端上部に、嵌め込み凹部６の前端縁に当接するための当り面部４４を設けることが好ましい。
【００１５】
このような構成とすることで、配管カバー７の上端部を嵌め込み凹部６に嵌め込んで配管カバー７を取付けた状態で、当り面部４４が嵌め込み凹部６の前端縁に略当接する状態で略ぴったりとなるように嵌め合わせて取付けられ、ねじ等を用いることなく配管カバー７を取付けることができる。
【発明の効果】
【００１６】
本発明は、上記のように、壁から前方に突出したカウンターの上方位置に、壁から前方に突出する給水装置を配設したので、カウンターの後部に給水装置を取付けるための立ち上がり部を必要とせず、カウンターの使い勝手が良く、コストも安くなる。しかも、配管カバーを側面視で後端が垂直となり、且つ前端上部が上に行くほど前方となるように傾斜するような形状に形成し、配管カバーをカウンターと給水装置との間に壁に沿って配置して配管収納凹部に配管の壁に沿った部分を収納し、配管カバーの上端部を嵌め込み凹部に上下移動自在に嵌め込むと共に配管カバーの下端をカウンター上に載置するので、配管カバーをねじ等を用いることなく簡単且つ傷つけることなく取り外したり、取付けたりできる。
【発明を実施するための最良の形態】
【００１７】
以下、本発明を添付図面に示す実施形態に基いて説明する。
【００１８】
図１に示すように、浴室ユニットの壁１にはカウンター２が突設して取付けてあり、壁１のカウンター２の取付け部分よりも上方の部位に、給水装置３が取付けてある。なお、添付図面に示す実施形態では、壁１のカウンター２の取付け部分よりも上方の部位に棚板３５を突設し、この棚板３５の下面部に重なるように給水装置３を壁１に取付けてある。
【００１９】
図３に示すように、カウンター２の下方の空間には配管４（水供給配管４ａ、湯供給配管４ｂ）が配置してあり、カウンター２の後部の左右方向の任意の位置に形成した切欠部３０に、水供給配管４ａ、湯供給配管４ｂを通し、壁１に沿わせ、該水供給配管４ａ、湯供給配管４ｂを給水装置３に接続してある。
【００２０】
上記水供給配管４ａ、湯供給配管４ｂは、給水装置３とカウンター２との間において、ステー４７により互いに連結して位置決めされた状態で壁１に取付けてある。ステー４７は図６に示すようなもので、左右両端に断面く字状をした弾性を有する係止片４８を設けると共に、左右両側の係止片４８よりも少し内側に引き込んだ位置に断面コ字状又はＵ字状をした配管保持部４９を設けてある。また、ステー４７にはねじ具挿入孔５０が設けてある。
【００２１】
そして、左右両配管保持部４９を水供給配管４ａ、湯供給配管４ｂに前方から嵌め込み、ステー４７を壁１に当接した状態でビスのようなねじ具をねじ具挿入孔５０から挿入して壁１に固着する。図１に示すように給水装置３とカウンター２との間のカウンター２により近い位置に位置するように壁１に取付ける。
【００２２】
給水装置３は図１乃至図４に示すようなもので、取付け金具９と、該取付け金具９に取付ける湯温調整ユニット１０と、水栓ユニット１１と、これらを覆うカバー５とで構成してある。
【００２３】
取付け金具９は前片１２の左右両端部から後方に向けて側片１３を一体に連出したものである。両側片１３の後端部には固定部１４が設けてあり、固定部１４を、壁１のカウンター２の取付け部分よりも上方の部位に、図１に示すように固着具により固定するようになっている。
【００２４】
また、前片１２には図３に示すように、配管の端部の接続部分を嵌め込むための複数の孔１５が設けてあり、各孔１５から水供給配管４ａの先端部に設けられた水供給用接続部２５、湯供給配管４ｂの先端に設けられた湯供給用接続部２６、接続管１８の両端部の接続部１９、２０、シャワー用配管２１の接続部２２が、前方に向けて突出するように設置されるようになっている。
【００２５】
また、前片１２には湯温調整ユニット１０と水栓ユニット１１とがそれぞれねじのような固着具２９により独立して着脱自在に取付けてあり、湯温調整ユニット１０と水栓ユニット１１は前片１２に取付けた状態で、湯温調整ユニット１０の軸芯と水栓ユニット１１の軸芯とが略一致するように並設される。
【００２６】
湯温調整ユニット１０は、内部に湯温調整装置を内装したもので、一側端部の外側に湯温調整用の第１操作部３６を突出させて構成してある。
【００２７】
この湯温調整ユニット１０を上記取付け金具９に取付ける際に、湯温調整ユニット１０に設けた水流入用接続部と湯流入用接続部を、取付け金具９側に設けた水供給用接続部２５と湯供給用接続部２６にそれぞれ着脱自在に接続する。
【００２８】
また、水栓ユニット１１は上記湯温調整ユニット１０とは別体のもので、内部に２つの開閉弁を備え、軸方向の両端部の外側にそれぞれ各開閉弁の操作部３７、３７ａを突出させて構成してある。
【００２９】
水栓ユニット１１には各開閉弁よりも下流側にそれぞれ湯水の吐出部２７が設けてあり、２つの吐出部２７のうちの１つは水栓ユニット１１の下面部に設けられたカラン用の吐出部２７ａであり、他の１つは水栓ユニットの後部から突出するシャワー用の吐出部（図示せず）である。
【００３０】
また、取付け金具９に湯温調整ユニット１０、水栓ユニット１１を個別に取付ける際、同時に、接続管１８の両端部の接続部１９、２０をそれぞれ湯温調整ユニット１０の温度調整済みの湯水の出口部と水栓ユニット１１の入口部とに着脱自在に接続する。
【００３１】
更に、水栓ユニット１１のシャワー用の吐出部を、シャワー用配管２１の接続部２２に接続する。このシャワー用配管２１にはシャワーホース（図示せず）の後端部を接続する。
【００３２】
このように取付け金具９の前面に、湯温調整ユニット１０と、該湯温調整ユニット１０とは別体の水栓ユニット１１とをそれぞれ独立して着脱自在に取付けるのであるが、湯温調整ユニット１０と水栓ユニット１１とは各ユニットの軸芯が略一致するように一列に並設した状態で取付け金具９の前側に取付けるものであり、また、並設した各ユニットはそれぞれ固着具２９を外すことで、独立して前方に取り外すことが可能となっている。
【００３３】
取付け金具９に各ユニット１０、１１を固着具２９を用いて着脱自在に取付けたり、取り外したりする操作は、取付け金具９の前片１２の前方において下方から治具を操作することで固着具２９による着脱操作ができるように構成してある。
【００３４】
上記のように取付け金具９の前面側に、湯温調整ユニット１０と、該湯温調整ユニット１０とは別体の水栓ユニット１１とを軸方向に並設して取付けた後、これらをカバー５で覆って給水装置３を組み立て構成する。
【００３５】
上記カバー５は形成される給水装置３の外郭を構成するもので、下後ろカバー３１と、下前カバー３２と、上カバー３３とで構成してある。
【００３６】
図３及び図４に示すように、上記下後ろカバー３１と、下前カバー３２と、上カバー３３にはそれぞれ被取付け部３４が設けてあって、下後ろカバー３１、下前カバー３２、上カバー３３の各被取付け部３４をそれぞれ、取付け金具９のカバー取付け部２３に固着具２９を用いて着脱自在に取付けるようになっている。
【００３７】
ここで、下後ろカバー３１と、下前カバー３２はいずれも、下後ろカバー３１と、下前カバー３２の下方から固着具２９を操作して取付けるようになっており、固着具２９が下後ろカバー３１と、下前カバー３２の下面に位置するので、給水装置３の使用側である正面側から上記下後ろカバー３１と、下前カバー３２を取付ける固着具２９が見えないようになっている。
【００３８】
下後ろカバー３１の後端部（壁１側の端部）には、上下方向及び背方に開口した嵌め込み凹部６を形成してある。
【００３９】
上カバー３３は上方から固着具２９を操作して取付けるようになっていて、固着具２９の頭部が上カバー３３の上面部の後部に存在することになるが、取付け金具９を壁１に取付けた場合、壁１から前方に突出して取付ける棚板３５の下面部に、上カバー３３の後部が重なるように取付けられるため、上記上カバー３３を取付ける固着具２９が給水装置３の使用側である正面側から見えないようになっている。
【００４０】
添付図面に示す実施形態においては、湯温調整ユニット１０に設けた湯温調整を行うための第１操作部３６、水栓ユニット１１に設けた２個の開閉弁をそれぞれ操作するための操作部３７、３７ａにはいずれも各ユニットの軸芯を中心に回動する回動部３８、３９から前方に操作板４０、４１、４１ａを突設したもので、湯温調整ユニット１０の第１操作部の前方に突出した第１操作板４０、上カバー３３の前部に設けた板状をしたダミー操作部４２、一方の開閉弁の第２操作部３７の前方に突出した第２操作板４１、他方の開閉弁の第３操作部３７ａの前方に突出した第３操作板４１ａが棚板３５の下面側の前端から前方に突出し、上記操作板４０、２つの操作板４１、４１ａがそれぞれ棚板３５の前方において湯温調整ユニット１０、水栓ユニット１１の軸芯に対して回動操作自在となっている。
【００４１】
つまり、第１操作部３６の第１操作板４０を操作することで、水流入用接続部、湯流入用接続部から湯温調整ユニット１０内に流入する水と湯との混合割合を調整して、湯温調整を行うことができるようになっている。
【００４２】
湯温調整ユニット１０の湯温調整装置で湯水の混合が調整された湯温調整済の湯水は、接続管１８を経て水栓ユニット１１内に供給される。
【００４３】
そして、一方の開閉弁の第２操作部３７の第２操作板４１を回動操作することで、該一方の開閉弁の開閉及び開度合いの調整（吐水量の調整）を行い、カラン用の吐出部２７ａからの湯水の吐水又は吐水停止、吐水時の吐水量の調整を行う。
【００４４】
また、他方の開閉弁の第３操作部３７ａの第３操作板４１ａを回動操作することで、該他方の開閉弁の開閉及び開度合いの調整（吐水量の調整）を行い、シャワーホースに設けたシャワーヘッドからの湯水の吐水又は吐水停止、吐水時の吐水量の調整を行う。
【００４５】
配管カバー７は背部には配管４が入る上下方向及び背方が開口した配管収納凹部８を設けてある。この配管カバー７の上下長さは、カウンター２の上面から、給水装置３の下後ろカバー３１の嵌め込み凹部６を設けた後部までの距離よりも長く形成してある。嵌め込み凹部６の両側下部には被係止部５１が設けてある。また、配管カバー７は側面視で後端が垂直となり且つ前端上部に行くほど前方となるように傾斜するような形状に形成してある。すなわち、配管カバー７の前部の略上半部が左右方向の全巾にわたって上方に行くほど前方となるように傾斜した傾斜面部４３となっている。この傾斜面部４３の最上端部の前方に最も突出している部分は垂直な当り面部４４となっている。また、配管カバーの後端部と上端部とのなすコーナ部分は弧状をした面取り部４６となっている。
【００４６】
上記の構成の配管カバー７を、カウンター２と給水装置３との間において、図５（ａ）のように、上に行くほど壁１側に近づくように斜めとなるように後傾姿勢にして、配管カバー７の上端部の当り面部４４を給水装置３のカバー５の下面部の嵌め込み凹部６に嵌め込む。次に、図５（ｂ）のように後傾姿勢のまま少し上に持ち上げて傾斜面部４３の上端部を嵌め込み凹部６に嵌め込む。上下長さがカウンター２から嵌め込み凹部６までの寸法よりも長い配管カバー７であっても、上記のように、配管カバー７を後傾姿勢にすることで嵌め込み凹部６内に嵌め込むことができ、また、配管カバー７を後傾姿勢にして上端部の最も前方に突出している当り面部４４を嵌め込み凹部６内に嵌め込んだ後、後傾姿勢のまま、少し持ち上げると傾斜面部４３が嵌め込み凹部６内に位置するため、無理なく図５（ａ）の状態から図５（ｂ）のように後傾姿勢のまま上方に持ち上げて嵌め込むことができる。更に、この際、配管カバー７の後端部と上端部とのなすコーナ部分に面取り部４６を設けておくことで、よりいっそうスムーズに後傾姿勢のまま上方に持ち上げて嵌め込むことができる。
【００４７】
次に、図５（ｂ）のように傾斜面部４３の上端部を嵌め込み凹部６に嵌め込んで後傾姿勢となっている配管カバー７を回動して、図５（ｃ）のように後端の垂直部分が壁１に当接する垂直姿勢とする。次に、図５（ｄ）のように上端部が嵌め込み凹部６に嵌めこまれて垂直姿勢となっている配管カバー７を下方に移動させて、配管カバー７の下端部をカウンター２の上面後端部上に載置する。この状態で配管カバー７の傾斜面部４３の上に連続する当り面部４４が、嵌め込み凹部６の前端縁に略当接する状態で略ぴったりとなるように嵌め合わせて取付けられる。
【００４８】
この場合、更に、配管カバー７の嵌め込み凹部６内の左右両側に設けた被係止部５１に、水供給配管４ａと湯供給配管４ｂを互いに連結して位置決めした状態で壁１に取付けているステー４７の左右両端部に設けた係止片４８が弾接的に係止する。
【００４９】
このように、配管カバー７は下端部がカウンター２に当接して載置されると共に上端部が嵌め込み凹部６に略ぴったりと嵌め込まれ、さらに、被係止部５１がステー４７の係止片４８に弾性的に係止されることで、ねじ等を用いることなく取付けることができる。
【００５０】
上記のようにして配管カバー７を取付けることで、配管カバー７に設けた配管収納凹部８内に壁１に沿って露出している配管４（水供給配管４ａ、湯供給配管４ｂ）を収納し、配管カバー７により配管４が外部に露出しないように覆い隠すものである。
【００５１】
給水装置３の点検、給水装置３と水供給配管４ａ、湯供給配管４ｂとの接続部分の保守、点検等の際に配管カバー７を取り外すには上記と逆の順番、つまり、図５（ｄ）→図５（ｃ）→図５（ｂ）→図５（ａ）の順番で取り外して保守、点検を行うことができる。
【００５２】
また、上記実施形態においては、湯温調整ユニット１０、水栓ユニット１１が取付け金具９に対してそれぞれ個別に取付け、取り外し自在となっているので、湯温調整ユニット１０、水栓ユニット１１のいずれか一方を保守、点検する際、いずれか他方は取付け金具９に取付けたままいずれか一方を取付け金具９から取り外して保守、点検を行うことができる。
【００５３】
上記実施形態においては、カウンター２の下方に配置した配管４をカウンター２の切欠部３０から上方に引き出して給水装置３に接続するものにおいて、カウンター２と給水装置３との間に位置する配管４部分を配管カバー７で覆う例で説明したが、給水装置３の壁１への取付け部分の付近又は、カウンター２と給水装置３との間の壁１の部位に孔を設け、この孔から配管４を引き出して、引き出した配管４を給水装置３と接続する側と、カウンター２の切欠部３０から下方に通してカウンター２の下方の空間を通して浴槽の給水装置側に至らせるようにしたものにおいて、カウンター２と給水装置３との間に位置する配管４部分を配管カバー７で覆うようにしてもよい。
【００５４】
また、カウンター２と給水装置３との間の壁１の部位に孔を設け、この孔から配管４を引き出して、上方の給水装置３に接続するものにおいて、カウンター２と給水装置３との間に位置する配管４部分を配管カバー７で覆うようにしてもよい。この場合はカウンター２には切欠部３０を設けなくてよく、また、配管カバー７に設けた配管収納凹部８は少なくとも上方及び背方に開口しておればよい。
【図面の簡単な説明】
【００５５】
【図１】本発明の一実施形態の断面図である。
【図２】同上の正面側から見た斜視図である。
【図３】同上の背面側から見た斜視図である。
【図４】同上の平面図である。
【図５】（ａ）（ｂ）（ｃ）（ｄ）は同上の配管カバーの取付け順序を示す断面図である。
【図６】同上に用いるステーを示し、（ａ）は正面図であり、（ｂ）は平面図である。
【符号の説明】
【００５６】
１  壁
２  カウンター
３  給水装置
４  配管
５  カバー
６  嵌め込み凹部
７  配管カバー
８  配管収納凹部
【図１】
2010004999.tif 000003
【図２】
2010004999.tif 000004
【図３】
2010004999.tif 000005
【図４】
2010004999.tif 000006
【図５】
2010004999.tif 000007
【図６】
2010004999.tif 000008